(57)【要約】【課題】最近では、音楽・映像データをダウンロードして購入することが多くなっているが、当該データそのものは無形であるため、所有する喜びに欠けるものとなっており、購入にも複雑な手順が要求される。  そこで、ダウンロードで当該データを購入する場合であっても、付加価値をつけて提供することによって、ユーザーの所有欲を満たすことができるとともに、手軽にダウンロードができ、複数の機器での再生が可能となる音楽・映像データ配信システムを提供する。【解決手段】音楽・映像データ情報の識別情報を印刷した印刷媒体を使用して、当該データを提供することとして、音楽・映像データ配信サーバに、音楽・映像再生装置と、音楽・映像データ蓄積サーバとが、通信ネットワークを介して接続された音楽・映像データ配信システムであることを特徴とする。【選択図】  図１
2013007800.tif 000002
【特許請求の範囲】
【請求項１】
音楽・映像データ識別情報が印刷された印刷媒体と、前記音楽・映像データ識別情報を読取る光学式読取手段を備えた音楽・映像再生装置と、音楽・映像データ配信サーバと、音楽・映像データ蓄積サーバとからなる音楽・映像データ配信システムであって、通信ネットワークを介して、前記音楽・映像配信サーバが、前記音楽・映像再生装置と、前記音楽・映像データ蓄積サーバとに接続されており、前記音楽・映像再生装置は、前記音楽・映像データ配信サーバに対して、前記音楽・映像データ識別情報に対応した音楽又は／及び映像データの送信を要求する送信要求手段と、前記音楽・映像配信サーバから送信される前記音楽又は／及び前記映像データを受信する受信手段と、前記音楽又は／及び前記映像データを格納する記憶手段と、前記記憶手段に格納されている前記音楽又は／及び前記映像データを再生する再生手段とを備えていることを特徴とし、前記音楽・映像データ蓄積サーバは、前記音楽・映像データ識別情報に対応して前記音楽・映像データ配信サーバから送信される前記音楽又は／及び前記映像データを受信するデータ受信手段と、前記音楽又は／及び前記映像データを格納するデータ記憶手段を備えていることを特徴とする音楽・映像データ配信システム
【請求項２】
前記印刷媒体は、印刷媒体識別情報が印刷されており、前記音楽・映像再生装置は、前記光学式読取手段が前記印刷媒体識別情報を読取ることができ、前記音楽・映像データ配信サーバに対して、前記印刷媒体識別情報を送信する送信手段を備えていることを特徴とする請求項１記載の音楽・映像データ配信システム
【請求項３】
前記音楽・映像再生装置は、前記音楽・映像データ配信サーバから受信した前記音楽又は／及び前記映像データが記憶手段に格納された後、当該音楽又は／及び当該映像データの再生が開始されることを特徴とする請求項１乃至２いずれか記載の音楽・映像データ配信システム
【請求項４】
前記音楽・映像再生装置は、前記光学式読取手段が、前記記憶手段に格納されている前記音楽又は／及び前記映像データに対応する前記音楽・映像データ識別情報を読取った場合に、前記音楽・映像データ配信サーバに対して、送信要求を行わないことを特徴とする請求項１乃至３いずれか記載の音楽・映像データ配信システム
【請求項５】
前記音楽・映像再生装置は、前記光学式読取手段が、前記記憶手段に格納されている前記音楽又は／及び前記映像データに対応する前記音楽・映像データ識別情報を読取った場合に、当該音楽又は／及び当該映像データの再生が開始されることを特徴とする請求項４記載の音楽・映像データ配信システム
【請求項６】
前記音楽・映像再生装置は、前記光学式読取手段に複数の識別情報読取部を備え、
前記音楽・映像データ識別情報又は／及び前記印刷媒体識別情報を読取る前記識別情報読取部を選択できることを特徴とする請求項１乃至５いずれか記載の音楽・映像データ配信システム
【請求項７】
前記音楽・映像再生装置は、前記識別情報読取部が前記音楽・映像データ識別情報又は／及び前記印刷媒体識別情報を読取れる状態で、前記印刷媒体を保持することができることを特徴とする請求項１乃至６いずれか記載の音楽・映像データ配信システム
【請求項８】
前記音楽・映像再生装置は、保持された前記印刷媒体を可視できることを特徴とする請求項７記載の音楽・映像データ配信システム
【請求項９】
前記印刷媒体は紙であることを特徴とする請求項１乃至８いずれか記載の音楽・映像データ配信システム
【請求項１０】
前記印刷媒体はコンパクトディスクと同サイズの直径８ｃｍ又は１２ｃｍの円盤形状であることを特徴とする請求項１乃至９いずれか記載の音楽・映像データ配信システム
【請求項１１】
前記音楽・映像再生装置は、光ディスク読取手段と、光ディスク再生手段とを備えていることを特徴とする請求項１乃至１０いずれか記載の音楽・映像データ配信システム
【請求項１２】
前記音楽・映像データ蓄積サーバは、前記データ記憶手段に格納されている前記音楽又は／及び前記映像データと同一の前記音楽又は／及び前記映像データが前記音楽・映像データ配信サーバから送信される場合には、前記データ記憶手段に格納しないことを特徴とする請求項１乃至１１いずれか記載の音楽・映像データ配信システム
【請求項１３】
前記音楽・映像データ蓄積サーバは、前記通信ネットワークを介して接続される外部通信端末からの要求により、前記データ記憶手段に格納されている前記音楽又は／及び前記映像データを、前記外部通信端末に送信するデータ送信手段を備えていることを特徴とする請求項１乃至１２いずれか記載の音楽・映像データ配信システム
【発明の詳細な説明】
【技術分野】
【０００１】
本発明は、通信ネットワークを利用した音楽・映像データ配信システムに関する。
【背景技術】
【０００２】
通信ネットワークを利用した音楽配信システムとして、特定の顧客にのみ音楽データを配信したり、ダウンロードする際に過去に選択した音楽データを除外するようにした技術が開示されている。
【特許文献１】特開２００２−２０２７８３号公報
【特許文献２】特開２０００−３３１０９０号公報
【発明の概要】
【発明が解決しようとする課題】
【０００３】
従来においては、ユーザーが希望の音楽を聞こうとする場合、コンパクトディスク、レコード、カセットテープ等の媒体を購入し、それぞれの再生装置を使用し、音楽を鑑賞していた。
しかし、最近では、パソコン、携帯電話、インターネットの普及によって、音楽データを音楽データ配信サーバからダウンロードし、携帯電話機等に格納して、当該装置にて再生し、音楽を楽しむという手段が普及してきている。それにともなって、コンパクトディスク等の媒体の売上が減少するとともに、それらの製造枚数、販売店も減少してきているという状況にある。
さらに、その販売店についても、多種の在庫を揃えている店舗は都市部の一部に限られており、誰もがいつでもどこでも希望の音楽のコンパクトディスク等を購入できるとは限らない状況となっている。
【０００４】
映像においても同様の状況であり、ＤＶＤ（登録商標）、ビデオテープ等の媒体から、映像配信サーバから映像データをダウンロードして観賞したり、オンデマンドで配信される映像を観賞するという方法に変わりつつある。
【０００５】
前記コンパクトディスク等の媒体はパッケージメディアであり、コンパクトディスク本体以外にも、ジャケット写真、歌詞カード等が封入されたケース入りであって、ユーザーがこれらを購入することにより、希望の音楽データを入手する以外に、付加価値が存在し、ユーザーの所有欲を刺激するものとなっている。
しかし、ダウンロードという方法をとる場合、多くの音楽データをダウンロードしても、記憶するデータ量は増えていくものの、音楽データそのものは無形であることから、所有する喜びに欠けるため、パッケージメディアを購入しようと思っても、希望のものが発売されていなかったり、入手が困難な場合があるという問題があった。
さらに、音楽・映像データをダウンロードする場合、パソコン・携帯電話等から、当該データの提供サイトに接続して、希望の曲等を選んでダウンロードする必要があり、ある程度の知識が要求され、手間がかかる等、手軽に音楽・映像データをダウンロードできるシステムの提供を求めるユーザーからの要求がある。
それとともに、音楽・映像データは電子データであり、デッドコピーを完全に防ぐことが難しいため、著作権者側からの容易にデータの複製ができない提供方法を求める要望もある。
【０００６】
そこで、手軽に希望の音楽を購入できるように、ユーザーが配信サーバから音楽・映像データを再生装置にダウンロードできることとして、現在のユーザーが慣れ親しんでいる利用態様に合わせるとともに、印刷媒体により音楽・映像データの識別情報を提供することとして、それら印刷媒体に付加価値をつけて、ユーザーの所有欲を満たすことができるとともに、データの複製を防ぐことができる音楽・映像データ配信システムを提供することを目的とする。
あわせて、再生装置にダウンロードするだけではなく、蓄積サーバにも音楽・映像データを蓄えておくことにより、ストリーミング等の手段により携帯機器での再生をも可能とすることができる音楽・映像データ配信システムを提供することを目的とする。
【課題を解決するための手段】
【０００７】
請求項１記載の音楽・映像データ配信システムは、音楽・映像データ識別情報が印刷された印刷媒体と、前記音楽・映像データ識別情報を読取る光学式読取手段を備えた音楽・映像再生装置と、音楽・映像データ配信サーバと、音楽・映像データ蓄積サーバとからなる音楽・映像データ配信システムであって、通信ネットワークを介して、前記音楽・映像配信サーバが、前記音楽・映像再生装置と、前記音楽・映像データ蓄積サーバとに接続されており、前記音楽・映像再生装置は、前記音楽・映像データ配信サーバに対して、前記音楽・映像データ識別情報に対応した音楽又は／及び映像データの送信を要求する送信要求手段と、前記音楽・映像配信サーバから送信される前記音楽又は／及び前記映像データを受信する受信手段と、前記音楽又は／及び前記映像データを格納する記憶手段と、前記記憶手段に格納されている前記音楽又は／及び前記映像データを再生する再生手段とを備えていることを特徴とし、前記音楽・映像データ蓄積サーバは、前記音楽・映像データ識別情報に対応して前記音楽・映像データ配信サーバから送信される前記音楽又は／及び前記映像データを受信するデータ受信手段と、前記音楽又は／及び前記映像データを格納するデータ記憶手段を備えていることを特徴とする。
【０００８】
前記の発明によれば、音楽・映像データの識別情報を印刷した媒体を使用して、当該音楽又は／及び当該映像データをダウンロード可能な音楽・映像データ配信システムを提供することができる。
【０００９】
請求項２記載の音楽・映像データ配信システムは、請求項１記載の音楽・映像データ配信システムにおいて、前記印刷媒体は、印刷媒体識別情報が印刷されており、前記音楽・映像再生装置は、前記光学式読取手段が前記印刷媒体識別情報を読取ることができ、前記音楽・映像データ配信サーバに対して、前記印刷媒体識別情報を送信する送信手段を備えていることを特徴とする。
【００１０】
前記の発明によれば、印刷媒体自体の識別情報を利用することによって、当該印刷媒体と、ダウンロードした音楽又は／及び映像データを関連づけて管理することが可能となる。
【００１１】
請求項３記載の音楽・映像データ配信システムは、請求項１乃至２いずれか記載の音楽・映像データ配信システムにおいて、前記音楽・映像再生装置は、前記音楽・映像データ配信サーバから受信した前記音楽又は／及び前記映像データが記憶手段に格納された後、当該音楽又は／及び当該映像データの再生が開始されることを特徴とする。
【００１２】
前記の発明によれば、ダウンロードした音楽又は／及び映像データが音楽・映像再生装置に格納された後、ユーザーに特段の作業を要求することなく、当該データの再生が開始される音楽・映像データ配信システムを提供することができる。
【００１３】
請求項４記載の音楽・映像データ配信システムは、請求項１乃至３いずれか記載の音楽・映像データ配信システムにおいて、前記音楽・映像再生装置は、前記光学式読取手段が、前記記憶手段に格納されている前記音楽又は／及び前記映像データに対応する前記音楽・映像データ識別情報を読取った場合に、前記音楽・映像データ配信サーバに対して、送信要求を行わないことを特徴とする。
【００１４】
前記の発明によれば、すでにダウンロード済みの音楽又は／及び映像データを、ユーザーが無駄に再ダウンロードすることを防ぐことができる音楽・映像データ配信システムを提供することができる。
【００１５】
請求項５記載の音楽・映像データ配信システムは、請求項４記載の音楽・映像データ配信システムにおいて、前記音楽・映像再生装置は、前記光学式読取手段が、前記記憶手段に格納されている前記音楽又は／及び前記映像データに対応する前記音楽・映像データ識別情報を読取った場合に、当該音楽又は／及び当該映像データの再生が開始されることを特徴とする。
【００１６】
前記の発明によれば、すでにダウンロード済みの音楽・映像データの印刷媒体がセットされた場合には、当該データが再ダウンロードされることなく、再生が開始され、ユーザーはダウンロード済であるか否かを特に気にすることなく、音楽・映像を楽しむことができる。
【００１７】
請求項６記載の音楽・映像データ配信システムは、請求項１乃至５いずれか記載の音楽・映像データ配信システムにおいて、前記音楽・映像再生装置は、前記光学式読取手段に複数の識別情報読取部を備え、前記音楽・映像データ識別情報又は／及び前記印刷媒体識別情報を読取る前記識別情報読取部を選択できることを特徴とする。
【００１８】
前記の発明によれば、複数の印刷媒体を音楽・映像再生装置にセットすることができ、ユーザーが印刷媒体の交換作業を行う手間を軽減することができる。
【００１９】
請求項７記載の音楽・映像データ配信システムは、請求項１乃至６いずれか記載の音楽・映像データ配信システムにおいて、前記音楽・映像再生装置は、前記識別情報読取部が前記音楽・映像データ識別情報又は／及び前記印刷媒体識別情報を読取れる状態で、前記印刷媒体を保持することができることを特徴とする。
【００２０】
前記の発明によれば、音楽・映像再生装置に印刷媒体をセットした状態を維持することができる。
【００２１】
請求項８記載の音楽・映像データ配信システムは、請求項７記載の音楽・映像データ配信システムにおいて、前記音楽・映像再生装置は、保持された前記印刷媒体を可視できることを特徴とする。
【００２２】
コンパクトディスク等のディスク状の媒体は高速で回転するため、再生中はレーベル等を可視することはできないが、本発明に使用する印刷媒体は再生中も静止しているため、音楽・映像を観賞しつつ、印刷媒体に印刷された写真等を観賞するといったことが可能となり、演奏するアーティストの写真を見ながら、そのアーティストの演奏する音楽を楽しむというような付加価値をユーザーに与えることができる。
【００２３】
請求項９記載の音楽・映像データ配信システムは、請求項１乃至８いずれか記載の音楽・映像データ配信システムにおいて、前記印刷媒体は紙であることを特徴とする。
【００２４】
印刷媒体には、音楽又は／及び映像データ自体でなく、その識別情報のみを記憶すれば足りることから、コンパクトディスク等のように大容量のデータを収める必要がなく、バーコード等を印刷することにより識別が可能であるため、紙を使用して、製造コストを削減することが可能となる。
【００２５】
請求項１０記載の音楽・映像データ配信システムは、請求項１乃至９いずれか記載の音楽・映像データ配信システムにおいて、前記印刷媒体はコンパクトディスクと同サイズの直径８ｃｍ又は１２ｃｍの円盤形状であることを特徴とする。
【００２６】
印刷媒体をコンパクトディスクと同サイズとすることにより、ＣＤ（コンパクトディスク）・ＤＶＤ（登録商標）と一緒に保管する際に、整理が容易となる。
【００２７】
請求項１１記載の音楽・映像データ配信システムは、請求項１乃至１０いずれか記載の音楽・映像データ配信システムにおいて、前記音楽・映像再生装置は、
光ディスク読取手段と、光ディスク再生手段とを備えていることを特徴とする。
【００２８】
再生装置に光ディスク読取手段及び再生手段を備えることにより、記憶手段に格納されている音楽又は／及び映像データだけではなく、従来のＣＤ・ＤＶＤ（登録商標）等の再生も可能となる。
【００２９】
請求項１２記載の音楽・映像データ配信システムは、請求項１乃至１１いずれか記載の音楽・映像データ配信システムにおいて、前記音楽・映像データ蓄積サーバは、前記データ記憶手段に格納されている前記音楽又は／及び前記映像データと同一の前記音楽又は／及び前記映像データが前記音楽・映像データ配信サーバから送信される場合には、前記データ記憶手段に格納しないことを特徴とする。
【００３０】
前記の発明によれば、すでに蓄積サーバに蓄積済みの音楽又は／及び映像データを、無駄に再蓄積することを防ぐことができる音楽・映像データ配信システムを提供することができる。
【００３１】
請求項１３記載の音楽・映像データ配信システムは、請求項１乃至１２いずれか記載の音楽・映像データ配信システムにおいて、前記音楽・映像データ蓄積サーバは、前記通信ネットワークを介して接続される外部通信端末からの要求により、前記データ記憶手段に格納されている前記音楽又は／及び前記映像データを、前記外部通信端末に送信するデータ送信手段を備えていることを特徴とする。
【００３２】
前記の発明によれば、蓄積サーバに蓄積した音楽又は／及び映像データを本システムの音楽・映像再生装置だけでなく、他の機器においても再生が可能となる音楽・映像データ配信システムを提供することができる。
【発明の効果】
【００３３】
本発明により、ユーザーは、手軽に希望する音楽・映像データを入手することができ、簡単な操作で再生装置から当該データを再生することができるとともに、再生装置の設置場所以外においても、携帯機器等を利用することにより当該データを再生することができる。
また、写真・歌詞等の付加価値の付いた印刷媒体を使用することにより、ユーザーの所有欲を満足させることができる。
そして、企業のロゴ・キャラクターを印刷した印刷媒体を販売・配布することによって、効果的な宣伝機能を発揮する等の優れた効果を得ることができる。
【図面の簡単な説明】
【００３４】
【図１】本発明の実施の形態に係る音楽・映像データ配信サーバの概要構成を示す機能ブロック図である。
【図２】本発明の実施の形態に係る音楽・映像再生装置及び印刷媒体の概要構成を示す機能ブロック図である。
【図３】本発明の実施の形態に係る識別情報読取部のイメージ図である。
【図４】本発明の実施の形態に係る印刷媒体の表面のイメージ図である。
【図５】本発明の実施の形態に係る印刷媒体の裏面のイメージ図である。
【図６】本発明の実施の形態に係る音楽・映像データ識別情報の読み込みから音楽・映像データのダウンロード及び再生を行う手順を示すフローチャートである。
【図７】本発明の実施の形態に係る音楽・映像再生装置のイメージ図である。
【図８】本発明の実施の形態に係る音楽・映像データ蓄積サーバの概要構成を示す機能ブロック図である。
【図９】本発明の実施の形態に係る音楽・映像データ蓄積サーバに格納されるデータ構造の一例を示す図である。
【図１０】音楽・映像データ蓄積サーバに格納されるデータ構造の一例を示す図である。
【図１１】本発明の実施の形態に係る音楽・映像データ識別情報の読み込みから音楽・映像データの格納を行う手順を示すフローチャートである。
【図１２】本発明の実施の形態に係る音楽・映像データ蓄積サーバに格納された音楽・映像データを携帯機器等で再生する手順を示すフローチャートである。
【発明を実施するための形態】
【００３５】
以下、図面を参照しつつ、本発明の実施の形態について説明する。なお、本発明の実施の形態については、音楽・映像再生装置は音楽・映像の双方のデータに対応する装置について説明するが、当該装置から映像再生手段を省略することにより、音楽データのみに対応する音楽再生装置とすることも可能である。
【００３６】
なお、本実施の形態の説明としては、通信ネットワークとしてインターネットを利用しているが、これは例示であって、イントラネット等の他の通信ネットワーク環境下においても実施可能である。
【００３７】
本発明の実施の形態に係る音楽・映像データ配信システムの構成について説明をする。図１は音楽・映像データ配信サーバの構成を示す機能ブロック図であり、図２は音楽・映像再生装置及び印刷媒体の構成を示す機能ブロック図である。
本発明の実施の形態に係る音楽・映像データ配信システムは、音楽・映像データ配信サーバ１０、音楽・映像再生装置２０、音楽・映像データ蓄積サーバ１００、及び携帯機器７０が、それぞれインターネット１を介して接続された環境下におかれている。
音楽・映像データ蓄積サーバ１００及び携帯機器７０の詳細については、後述する。
【００３８】
音楽・映像データ配信サーバ１０、音楽・映像再生装置２０、音楽・映像データ蓄積サーバ１００、及び携帯機器７０は、それぞれ経路制御装置、電話回線、ＬＡＮ（ローカル・エリア・ネットワーク）等を経由してインターネット１に接続されている。
【００３９】
音楽・映像データ配信サーバ１０の制御手段１１は、ＣＰＵ等から構成され、各部の制御や、データの転送、種々の演算、データの一時的な格納等を行う。入力制御手段１２は、インターネット１を介して接続された音楽・映像再生装置２０から送信される音楽・映像データ識別情報に基づいた送信要求データ、印刷媒体識別情報等を制御する。出力制御手段１３は、音楽・映像再生装置２０及び音楽・映像データ蓄積サーバ１００に送信される音楽・映像データを制御する。符号１４〜１７は、それぞれ以下のファイルが格納されているデータベースとなっている。
【００４０】
データベース１４には音楽データが格納され、データベース１５には映像データが格納され、データベース１６には音楽・映像データ識別情報と音楽・映像データを対応させる属性情報データ等が格納され、データベース１７には印刷媒体識別情報及び機器識別情報に関連するデータ等が格納される。
【００４１】
プログラム１８は、音楽・映像データ配信サーバ１０と音楽・映像再生装置２０及び音楽・映像データ蓄積サーバ１００との接続を制御するプログラム、音楽・映像再生装置２０から送信された音楽・映像データ識別情報からデータベース１６に格納されている情報に従って、データベース１４に格納されている音楽データ、データベース１５に格納されている映像データを選択するプログラム、当該音楽・映像データを音楽・映像再生装置２０及び音楽・映像データ蓄積サーバ１００に送信するプログラム等が記憶されており、制御手段１１において用いられる。
【００４２】
音楽・映像再生装置２０の制御手段２１は、ＣＰＵ等から構成され、各手段の制御や、音楽・映像データの転送、種々の演算、データの一時的な格納等を行う。
光学式読取手段２２は、印刷媒体に印刷された音楽・映像データ識別情報３２、印刷媒体識別情報３１の読取りを行い、識別情報読取部等から構成される。図３は識別情報読取部のイメージ図である。本実施例においては、識別情報読取部４０は音楽・映像再生装置２０と一体をなしているが、識別情報読取部４０を独立させ、有線ケーブル等により音楽映像再生装置２０と接続するようすることもできる。また、印刷媒体保持具４２を備えることにより、読取りを行う印刷媒体３０を保持しておくことが可能である。
そして、識別情報読取部４０の数は任意であり、本実施例のように複数備えるようにすれば、一度に複数の印刷媒体３０をセットすることができ、任意の印刷媒体３０の音楽・映像データ識別情報３２を選択することも可能となる。
送信要求手段２３は、音楽・映像データ配信サーバ１０に対して、音楽・映像データ識別情報３２に対応する音楽・映像データの送信を要求し、送受信手段２４は、音楽・映像データ配信サーバ１０から送信される音楽・映像データの受信、音楽・映像データ配信サーバ１０への印刷媒体識別情報３１の送信等を行う。
記憶手段２５は、音楽・映像データ配信サーバから受信した音楽・映像データ、音楽・映像データの属性情報等を格納し、ＲＡＭ、ＨＤＤ等から構成される。再生手段２６は、音楽・映像データを出力し、増幅回路、スピーカー、ディスプレイ等から構成される。
【００４３】
プログラム２７は、音楽・映像データ配信サーバ１０と音楽・映像再生装置２０との接続を制御するプログラム、音楽・映像データ識別情報３２を読取るためのプログラム、音楽・映像データ配信サーバ１０から受信した音楽・映像データを記憶手段２５に格納するためのプログラム、再生手段２６を制御するプログラム等が記憶されており、制御手段２１において用いられる。
そして、音楽・映像再生装置２０各機器固有の機器識別情報２８が記憶されている。
【００４４】
音楽・映像再生装置２０に、光学ドライブ装置等の光ディスク読取手段及び光ディスク再生手段とを備えることにより、音楽・映像データ配信サーバ１０から受信する音楽・映像データのみではなく、通常のコンパクトディスク、ＤＶＤ（登録商標）、ブルーレイディスク（Blu-ray Disc：登録商標）等に収納されている音楽・映像データの再生も可能となる。
また、光ディスク読取手段と、音楽・映像データ識別情報３２、印刷媒体識別情報３１の光学式読取手段２２とを別個に設けてもよいが、光ディスクと印刷媒体３１のサイズを同一とすることによって、共用の読取手段として、一の読取装置にて光ディスクと印刷媒体３０のどちらをも読取ることができるようすることも可能である。
【００４５】
印刷媒体３０に印刷される音楽・映像データ識別情報３２には、音楽データであれば、一曲のデータに限らず、アルバム単位の音楽データとして、複数曲の音楽データの識別情報とすることもできる。音楽・映像データ識別情報と音楽・映像データは一対のものであり、同一の識別情報に異なる音楽・映像データが適合することはない。
なお、音楽・映像データには、作曲者名・歌詞等のテキストデータ等の付加データ、音楽・映像データ識別情報３２、印刷媒体３０自体の印刷媒体識別情報３１などの属性情報等のタグ情報を含ませることも可能である。
【００４６】
図４乃至５は、印刷媒体３０のイメージ図となる。ここで、本実施例においては、印刷媒体３０を紙製のコンパクトディスクと同サイズ（直径１２ｃｍ）としているが、音楽・映像データ識別情報３２を印刷できる限りにおいて、その材質、サイズは任意とすることができる。そして、本実施例においては、音楽・映像データ識別情報３２としてＱＲコードを利用しているが、音楽・映像データを識別する情報が判別される限りにおいて、一次元バーコード・二次元バーコード等の識別子、数字・文字等が利用可能である。
なお、本実施例においては、音楽・映像データ識別情報３２の他、印刷媒体識別情報３１をも印刷することとしているが、両識別情報にそれぞれ別のＱＲコード等を付与して印刷することもできるが、本実施例のように、一のＱＲコードに音楽・映像データ識別情報３２、印刷媒体識別情報３１の双方を含ませることも可能である。
【００４７】
印刷媒体識別情報３１は、印刷媒体３０を識別するためのものであり、印刷媒体識別情報３１と印刷媒体３０は一対となり、同一の印刷媒体識別情報に二以上の印刷媒体が適合することはない。当該印刷媒体識別情報が印刷された印刷媒体にのみ適合するものとなる。
音楽・映像再生装置２０から、音楽・映像配信サーバ１０に対して、音楽・映像データ識別情報とともに、印刷媒体識別情報３１が送信されることにより、音楽・映像配信サーバ１０においては、印刷媒体３０の識別が可能となることとなる。
したがって、印刷媒体の音楽・映像データ識別情報が音楽・映像データ配信サーバに送信され、音楽・映像データを受信済みとなり、当該印刷媒体が一度使用された場合において、当該印刷媒体に印刷された印刷媒体識別情報が音楽・映像データ配信サーバに送信されることによって、音楽・映像データ配信サーバに当該印刷媒体が使用済みであることを記憶させることができることとなる。この場合に、印刷媒体識別情報と音楽・映像再生装置の機器識別情報とを対応させて管理することにより、使用済みの印刷媒体を、異なる音楽・映像再生装置に読み込ませて再使用しようとする場合、当該印刷媒体は一度使用され、すでに他の音楽・映像再生装置に音楽・映像データの送信済みであるとして、音楽・映像データの送信要求を受け付けないよう設定することも可能となり、一の印刷媒体の使用を一の音楽・映像再生装置に限ることとすることによって、著作権の管理が容易になるというメリットが得られる。
また、同一の音楽・映像再生装置による場合であっても、印刷媒体識別情報を利用することによって、印刷媒体の使用を一回に限り、再ダウンロードを認めないというような設定も可能である。
【００４８】
印刷媒体３０の中心部が円状に刳り抜かれており、この内円部を識別情報読取部４０の印刷媒体保持具４２に嵌合することにより保持される。なお、本実施例においては、印刷媒体保持具４２に設ける凸状の突起４３に対応する凹状の切り欠き３５を印刷媒体３０の内円部に設けることにより、印刷媒体３０に印刷された音楽・映像データ識別情報３２、印刷媒体識別情報３１が識別リーダー４１で読取り可能な位置に固定され、印刷媒体３０は音楽・映像データ識別情報３２、印刷媒体識別情報３１が読取り可能な状態で保持されている。
【００４９】
また、音楽・映像データ識別情報３２、印刷媒体識別情報３１が印刷される以外のスペースに写真３３、歌詞３４等を印刷することも可能であり、印刷媒体３０を識別情報読取部４０にセットした状態で、印刷媒体３０を見えることができるようにすることで、音楽・映像データ識別情報３２、印刷媒体識別情報３１の読取り中、又は音楽・映像データを再生中に、同時に写真３３を観賞したり、歌詞３４を読んだりすることもできる。
【００５０】
次に、図６乃至図７を参照しつつ、音楽・映像再生装置２０が、印刷媒体３０から音楽・映像データ識別情報３２を読取り、音楽・映像データ配信サーバ１０から音楽・映像データを受信し、再生する手順について説明する。ここで、図６は本実施例の識別情報の読取りから再生までの手順を示すフローチャートであり、図７は音楽・映像再生装置２０のイメージ図となる。
【００５１】
まず、音楽・映像再生装置２０に備えられている三箇所の識別情報読取部４０から任意の読取部を選択し（ステップ１０１）、印刷媒体３０を表面が見える状態にして、識別情報読取部４０にセットすると、音楽・映像データ識別情報３２及び印刷媒体識別情報３１の読取りが開始され（ステップ１０２）、音楽・映像データ配信サーバ１０に対して、送信要求手段２５により、当該音楽・映像データ識別情報３２に対応する音楽・映像データの音楽・映像データ蓄積サーバ１００への送信要求がなされるとともに、印刷媒体識別情報３１及び機器識別情報２８が送信される（ステップ１０３）。
そして、読取られた音楽・映像データ識別情報３２が、記憶手段２５にすでに格納されている音楽・映像データのタグ情報と照合され（ステップ１０４）、当該音楽・映像データ識別情報３２に対応する音楽・映像データが記憶手段２５に格納されていなければ、音楽・映像データ配信サーバ１０に対して、送信要求手段２５により、音楽・映像再生装置２０への当該データの送信要求を行う（ステップ１０５）。
音楽・映像データ配信サーバ１０に送信された印刷媒体識別情報３１が、すでに当該音楽・映像再生装置と異なる装置にて使用済みの印刷媒体３０のものであった場合には、音楽・映像データが送信されることなく処理が終了し、未使用の印刷媒体３０の印刷媒体識別情報３１である場合には、音楽・映像データ配信サーバ１０が当該送信要求を処理し（ステップ１０６）、当該データが送信され、送受信手段２４によって、音楽・映像再生装置２０が当該データを受信し（ステップ１０７）、当該データが記憶手段２５に格納される（ステップ１０８）。そして、当該データの再生が開始される（ステップ１０９）。
ステップ１０４での照合の結果、当該音楽・映像データ識別情報３２に対応する音楽・映像データが記憶手段２５に格納されている場合には、送信要求することなく、当該データの再生が開始される（ステップ１０９）。
【００５２】
ここで、任意の識別情報読取部４０を選択することとしているが、すでに複数の読取り部に印刷媒体３０がすでにセットされているような場合には、印刷媒体選択ボタン５６によって、音楽・映像データ識別情報３２を読取る識別情報読取部４０を選択するようにすることも可能である。
また、印刷媒体選択ボタン５６を設けずに、最新時に印刷媒体３０がセットされた識別情報読取部４０が選択されるというようなことも可能である。
なお、識別情報読取部４０を複数設けずに、一とすれば、識別情報読取部の選択をすることなしに、印刷媒体３０を表面が見える状態にして、識別情報読取部４０にセットすれば、音楽・映像データ識別情報３２の読取りが開始される（ステップ１０２）。
【００５３】
また、前記ステップ１０７の後、若しくはステップ１０４での照合後にすでに格納されていると判断された後に、当該データの再生を開始させずに、ユーザーが再生ボタン５３の操作により再生を開始するというようにすることも可能である。
【００５４】
本実施例においては、音楽・映像再生装置２０は、印刷媒体３０を識別情報読取部４０にセットした状態で、印刷媒体３０が可視できるようになっているが、埃対策のために、アクリル等の材質の透明カバーを装着することが望ましい。
【００５５】
また、音楽・映像再生装置２０に装備されている液晶ディスプレイ５１は、映像表示用のものであるが、音楽・映像データに含まれる歌詞データ等の付加データを表示するように設定することも可能である。
【００５６】
次に、本発明の実施の形態に係る音楽・映像データ蓄積サーバについて、図面を参照しつつ説明する。図８は音楽・映像データ蓄積サーバの構成を示す機能ブロック図である。
音楽・映像再生装置２０が、音楽・映像データ識別情報３２を読取ることにより、音楽・映像データ配信サーバ１０から、当該音楽・映像データ識別情報３２に対応した音楽・映像データが送信され、音楽・映像再生装置２０にダウンロードされるとともに、音楽・映像データ蓄積サーバ１００にも当該音楽・映像データが格納され、当該音楽・映像データを送信することにより、携帯機器７０等で受信しての再生が可能となる。
【００５７】
音楽・映像データ蓄積サーバ１００の入出力制御手段１０４は、音楽・映像データ配信サーバ１０から送信される音楽・映像データ受信の制御、データの転送、ユーザー識別の制御、音楽・映像データ送信の制御等を行う。データ記憶手段１０１には、ユーザー識別情報１０５，音楽・映像データ１０７、それらの管理データ情報１０６等のデータが格納される。なお、当該管理データ情報には、音楽・映像データ識別情報３２、印刷媒体識別情報３１も含ませることができる。
データ受信手段１０２は、音楽・映像データ配信サーバ１０から送信される機器識別情報２８、音楽・映像データ等の受信を行う。また、データ送信手段１０３は、携帯機器７０等に音楽・映像データ等の送信を行う。
【００５８】
ユーザー識別情報（ユーザーＩＤ）を利用することによって、一の音楽・映像データ蓄積サーバにおいて、二以上の音楽・映像再生装置に対応することが可能となり、複数のユーザーのデータを格納することができる。
ユーザー識別情報１０５は、音楽・映像再生装置２０の機器識別情報２８に対応するものであり、ユーザー識別情報１０５と機器識別情報２８とは対をなし、、それぞれ他のユーザー識別情報・機器識別情報とは重複しないように管理される。
【００５９】
図９に音楽・映像データ蓄積サーバ１００のデータ記憶手段１０１に格納されるデータ構造の一例を示す。
なお、本実施例においては、ユーザー識別情報１０５と機器識別情報２８とを数字及び欧文字との組み合わせとしているが、それらに限定されるものではなく、何らかの記号等を用いることも可能である。
また、ユーザー識別情報１０５と機器識別情報２８とは、必ずしも同一のものとする必要はなく、ユーザー識別情報が他のユーザー識別情報と重複せず、一の機器識別情報とのみ対をなす限りにおいて、ユーザー識別情報は任意に設定が可能であり、インターネット１に接続される、通信機能を有するコンピュータ、携帯電話等の通信端末からの設定登録も可能である。
【００６０】
本実施例においては、ユーザー毎にデータを管理することとし、ユーザー識別情報毎にデータ記憶手段１０１の一定の領域が割り当てられることとなり、その領域にデータを格納することとなる。
例として、「００１０Ａ」の機器識別情報２８をもつ音楽・映像再生装置２０から送信要求された音楽・映像データは、データ記憶手段１０１内の「００１０Ａ」の機器識別情報２８に対応する「００００２」のユーザー識別情報１０５に該当するユーザーの領域に格納され、音楽・映像データ１０７として記憶される。
そして、当該データの管理データ情報として、当該音楽・映像データ識別情報３２、読取られた印刷媒体３０の印刷媒体識別情報３１、データ種別（音楽であるか、映像であるか等）、データナンバー等が記憶されて、ユーザー識別情報１０５と管理データ情報１０６とを利用して、データ記憶手段１０１に格納されている音楽・映像データ１０７が管理される。
なお、印刷媒体識別情報３１を利用することにより、当該印刷媒体が使用済みであることを音楽・映像データ配信サーバ１０に記憶させることができることとなり、使用済みの印刷媒体を再使用しようとする場合には、音楽・映像データ配信サーバ１０から音楽・映像データ蓄積サーバ１００への音楽・映像データの送信要求を受け付けないようにすることができるのは、音楽・映像再生装置２０の場合と同様である。
また、音楽・映像データ配信サーバ１０に記憶される印刷媒体識別情報３２及び機器識別情報２８を利用することにより、一の音楽・映像再生装置で使用された印刷媒体を他の装置から再使用しようとする場合には、音楽・映像データ配信サーバ１０から音楽・映像データ蓄積サーバ１００への音楽・映像データの送信要求を受け付けないようにすることができるのも、音楽・映像再生装置２０の場合と同様である。
【００６１】
また、本実施例においては、ユーザー毎にデータを管理し、それぞれ送信要求した音楽・映像データをデータ記憶手段１０１に格納することとしているが、同一の識別情報３１に該当する音楽・映像データは、ユーザーが異なる場合は、重複して格納されることとなる。そうなると、無駄に音楽・映像データ蓄積サーバの記憶領域を使用することにもなり得る。
そこで、記憶領域の節約をするために、音楽・映像データ識別情報３２毎にデータを管理することとすることも可能である。この場合の音楽・映像データ蓄積サーバ１００のデータ記憶手段１０１に格納されるデータ構造の一例を図１０に示す。
例として、「００００１」の機器識別情報２８をもつ音楽・映像再生装置２０から送信要求された「１１１１１」の音楽・映像データ識別情報３２に対応する音楽・映像データは、データ記憶手段１０１内の「１１１１１」の音楽・映像データ識別情報３２に該当する領域に格納され、音楽・映像データ１０７として記憶される。そして、当該データの管理データ情報として、当該データを送信要求した「００００１」である機器識別情報２８、その機器識別情報２８に対応する「００００１」であるユーザー識別情報１０５、印刷媒体識別情報３１、データ種別（音楽であるか、映像であるか等）、ユーザー毎のデータナンバー等が記憶されて、音楽・映像データ識別情報３２と管理データ情報１０６とを利用して、データ記憶手段１０１に格納されている音楽・映像データ１０７が管理されることとなる。
その後、同一の音楽・映像データを他のユーザーが送信要求した場合には、「００１０Ａ」の機器識別情報２８から送信要求された場合には、「００１０Ａ」の機器識別情報２８、その機器識別情報２８に対応する「００００２」であるユーザー識別情報１０５、印刷媒体識別情報３１、データ種別（音楽であるか、映像であるか等）、ユーザー毎のデータナンバー等が管理データ情報に追加されるだけで済むこととなり、「１１１１１」の音楽・映像データ識別情報３２に該当する音楽データが、データ記憶手段１０１に重複して格納されないこととなる。
【００６２】
次に、図１１を参照しつつ、音楽・映像再生装置２０が、印刷媒体３０から音楽・映像データ識別情報３２を読取り、音楽・映像データ配信サーバ１０から音楽・映像データが送信され、音楽・映像データ蓄積サーバ１００に格納される手順について説明する。
【００６３】
音楽・映像再生装置２０に印刷媒体３０がセットされると、音楽・映像データ識別情報３２、印刷媒体識別情報３１の読取りが開始され（ステップ２０１）、音楽・映像データ配信サーバ１０に対して、音楽・映像データ識別情報３２、印刷媒体識別情報３１が送信され、当該音楽・映像データ識別情報３２に対応する音楽・映像データの音楽・映像データ蓄積サーバ１００への送信要求がなされるとともに、機器識別情報２８が送信される（ステップ２０２）。
そして、印刷媒体識別情報３１、機器識別情報２８の照合が行われ（ステップ２０３）、すでに他の音楽・映像再生装置で使用済みの印刷媒体３０のものであった場合には、音楽・映像データが送信されることなく処理が終了し、他の装置で未使用の印刷媒体３０のものである場合には、音楽・映像データ配信サーバ１０が当該送信要求を処理し、音楽・映像データ配信サーバ１０から音楽・映像データ蓄積サーバ１００に対して、音楽・映像データ識別情報３２、当該識別情報３１に対応する音楽・映像データ、印刷媒体識別情報３１、機器識別情報２８等が送信される（ステップ２０４）。
【００６４】
次に、音楽・映像データ蓄積サーバ１００にて、送信された機器識別情報２８について、それに適合するユーザー識別情報１０５がデータ記憶手段１０１に登録されているか否かの照合が行われる（ステップ２０５）。
当該機器識別情報２８に適合するユーザー識別情報１０５が存在しない場合には、送信された音楽・映像データを受信することなく終了する。
適合するユーザー識別情報１０５が存在する場合には、当該音楽・映像データを受信し（ステップ２０６）、当該ユーザー識別情報１０５の管理データ情報１０６に記録されている音楽・映像データ識別情報３２と、受信した音楽・映像データ識別情報３２とを照合し（ステップ２０７）、適合する音楽・映像データ識別情報３２が記録されていない場合には、当該ユーザー識別情報１０５の記憶領域内に当該音楽・映像データが音楽・映像データ１０７として格納され、管理データ情報１０６に当該データの属性情報が記録される（ステップ２０７）。
適合する音楽・映像データ識別情報３２が記録されている場合には、すでに同一の音楽・映像データが格納されているということであり、受信した音楽・映像データを格納することなく終了する。
【００６５】
音楽・映像データ蓄積サーバ１００は、単に音楽・映像データ１０７の保管をするための外部ストレージとしての役割だけでなく、音楽・映像データを送信し、外部通信端末での再生の用に処することが可能である。
本実施例では、外部通信端末として、携帯機器７０としているが、通信ネットワークに接続可能な通信機能を有し、音楽・映像データの再生機能を有する限りにおいて、パーソナルコンピュータ、スマートフォン、携帯電話、携帯音楽プレーヤ等が利用可能である。また、音楽・映像再生装置２０も外部端末として利用可能である。
音楽・映像データ蓄積サーバ１００からの音楽・映像データの送信は、外部通信端末にダウンロードさせる方式でも、ストリーミング配信により再生させる方式でも、任意とすることができる。
【００６６】
ここで、図１２を参照しつつ、音楽・映像データ蓄積サーバ１００に格納された音楽・映像データ１０７を送信し、外部通信端末で再生する手順を説明する。図１２は、本発明の実施の形態に係る音楽・映像データ蓄積サーバに格納された音楽・映像データを携帯機器等で再生する手順を示すフローチャートである。
本実施例においては、外部通信端末として携帯機器７０として、携帯電話を利用し、音楽・映像データをストリーミング配信することとしている。
【００６７】
まず、携帯機器７０をインターネット１を介して、音楽・映像データ蓄積サーバ１００に接続し、ユーザー識別情報を送信する（ステップ３０１）。ユーザー識別情報を受信した音楽・映像データ蓄積サーバ１００は、それに適合するユーザー識別情報１０５がデータ記憶手段１０１に登録されているか否かの照合が行われる（ステップ３０２）。なお、この場合、ユーザー識別情報のみによる照合だけではなく、セキュリティ強化の面からパスワードによる認証も併用することが望ましい。
適合するユーザー識別情報１０５が存在する場合には、携帯機器７０に対して、当該ユーザー識別情報１０５の管理データ情報１０６から、格納されている音楽・映像データ１０７のリストを送信する（ステップ３０３）。
そして、携帯機器７０において、受信した音楽・映像データのリストから、再生を希望するデータを選択し（ステップ３０４）、音楽・映像データ蓄積サーバ１００に対して、当該データの送信を要求する（ステップ３０５）。
送信要求を受けた音楽・映像データ蓄積サーバ１００より、当該データがストリーミング配信され、当該データを携帯機器７０が受信し（ステップ３０６）、携帯機器７０において再生されることとなる（ステップ３０７）。
【００６８】
なお、本実施例においては、データリストが送信され、当該リストから再生データを選択し、当該データの送信要求することとしている。他の方法として、携帯機器７０を音楽・映像データ蓄積サーバ１００に接続し、音楽・映像データ蓄積サーバ１００内の管理データ情報を参照し、音楽・映像データ蓄積サーバ１００に音楽・映像データの送信要求をしたり、データナンバーやタイトル名をを直接入力して送信要求したりすることも可能である。
【符号の説明】
【００６９】
１            インターネット
１０            音楽・映像データ配信サーバ
１１            音楽・映像データ配信サーバの制御手段
１２            音楽・映像データ配信サーバの入力制御手段
１３            音楽・映像データ配信サーバの出力制御手段
１４            音楽データのデータベース
１５            映像データのデータベース
１６            音楽・映像データ情報のデータベース
１７            印刷媒体識別情報・機器識別情報のデータベース
１８            音楽・映像データ配信サーバのプログラム
２０            音楽・映像再生装置
２１            音楽・映像再生装置の制御手段
２２            音楽・映像再生装置の光学式読取手段
２３            音楽・映像再生装置の送信要求手段
２４            音楽・映像再生装置の送受信手段
２５            音楽・映像再生装置の記憶手段
２６            音楽・映像再生装置の再生手段
２７            音楽・映像再生装置のプログラム
２８            音楽・映像再生装置の機器識別情報
３０            印刷媒体識別情報
３１            音楽・映像データ識別情報
３２            印刷媒体の識別情報
３３            印刷媒体に印刷された写真
３４            印刷媒体に印刷された歌詞
３５            切り欠き
４０            識別情報読取部
４１            識別情報リーダー
４２            印刷媒体保持具
４３            突起
５１            液晶ディスプレイ
５２            スピーカー
５３            再生ボタン
５４            早送りボタン
５５            巻き戻しボタン
５６            印刷媒体選択ボタン
５７            ネットワーク・アクセスランプ
５８            電源ボタン
５９            一時停止ボタン
６０            透明アクリルカバー
７０            携帯機器
１００            音楽・映像データ蓄積サーバ
１０１            音楽・映像データ蓄積サーバのデータ記憶手段
１０２            音楽・映像データ蓄積サーバのデータ受信手段
１０３            音楽・映像データ蓄積サーバのデータ送信手段
１０４            音楽・映像データ蓄積サーバの入出力制御手段
１０５            音楽・映像データ蓄積サーバのユーザー識別情報
１０６            音楽・映像データ蓄積サーバに格納される管理データ情報
１０７            音楽・映像データ蓄積サーバに格納される音楽・映像データ
１１０            音楽・映像データ蓄積サーバに格納されるデータのデータ構造の一例
【図１】
2013007800.tif 000003
【図２】
2013007800.tif 000004
【図３】
2013007800.tif 000005
【図４】
2013007800.tif 000006
【図５】
2013007800.tif 000007
【図６】
2013007800.tif 000008
【図７】
2013007800.tif 000009
【図８】
2013007800.tif 000010
【図９】
2013007800.tif 000011
【図１０】
2013007800.tif 000012
【図１１】
2013007800.tif 000013
【図１２】
2013007800.tif 000014